(57)【要約】      （修正有）【課題】ストリーム毎の頻繁なCQIレポートを行うことなく、MIMO伝送方式の送信ウェイト制御を行うこと可能とした基地局、端末および無線通信システムを提供する。【解決手段】複数のアンテナを用いてＫ（Ｋは２以上の整数）個のストリームを端末にＭＩＭＯ伝送する基地局であって、それぞれデータを含む第１〜第Ｋストリームの送信に使用する物理リソースを指定した第１〜第Ｋ制御情報を生成する制御情報生成手段と、第１〜第Ｋ制御情報を前記端末に送信する制御情報送信手段と、第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する検出手段と、第１物理リソースのチャネル品質を前記端末で測定するための品質測定用信号を含む第ｋ２ストリームを第１物理リソースを用いて送信する信号送信手段と、を備える。【選択図】図８
2010206403.tif 000002
【特許請求の範囲】
【請求項１】
複数のアンテナを用いてＫ（Ｋは２以上の整数）個のストリームを端末にＭＩＭＯ（Multiple Input Multiple Output）伝送する基地局であって、
それぞれデータを含む第１〜第Ｋストリームの送信に使用する物理リソースを指定した第１〜第Ｋ制御情報を生成する制御情報生成手段と、
前記第１〜第Ｋ制御情報を前記端末に送信する制御情報送信手段と、
第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する検出手段と、
前記第１物理リソースのチャネル品質を前記端末で測定するための品質測定用信号を含む前記第ｋ２ストリームを前記第１物理リソースを用いて送信する信号送信手段と、
を備えたことを特徴とする基地局。
【請求項２】
前記端末との間の通信路の状態を表す第１ベクトルを、前記端末から送信されるアップリンク信号に基づき推定する通信路推定手段と、
前記第１ストリームを送信するための第１送信ウェイトを前記第１ベクトルから計算し、
前記第２〜第Ｋのストリームを送信するための第２〜第Ｋ送信ウェイトを、前記第１ベクトルとの相関が相関閾値以下であるベクトルの集合からそれぞれ選択する
ウェイト計算手段と、
をさらに備えたことを特徴とする請求項１に記載の基地局。
【請求項３】
前記ウェイト計算手段は、前記品質測定用信号に対する前記端末からの応答であるＣＱＩ（Channel Quality Indicator）情報が、前記第１物理リソースのチャネル品質が閾値以下であることを示すとき、前記品質測定用信号を含む前記第ｋ２ストリームを送信するための第ｋ２送信ウェイトを前記ベクトルの集合における他のベクトルに変更する
ことを特徴とする請求項２に記載の基地局。
【請求項４】
前記品質測定用信号に対する前記端末からの応答であるＣＱＩ情報が、前記第１物理リソースのチャネル品質が閾値より大きいことを示すとき、前記第１物理リソースを前記第ｋ２ストリームのデータ送信に使用する物理リソースの候補として決定する物理リソース決定手段をさらに備え、
前記制御情報生成手段は、前記物理リソース決定手段により決定された候補を指定する第ｋ２制御情報を生成する
ことを特徴とする請求項２または３に記載の基地局。
【請求項５】
前記第１ベクトルをｈ１として表したとき、前記ベクトルの集合は、行列Ｗ＝Ｉ−ｈ１×ｈ１Ｈ／（ｈ１Ｈ×ｈ１）に含まれる複数の列ベクトル、および前記複数の列ベクトルの線形和で表現されるベクトルを含み、前記Iは単位行列、前記Hは転置を表す
ことを特徴とする請求項２ないし４のいずれか一項に記載の基地局。
【請求項６】
基地局からＭＩＭＯ（Multiple Input Multiple Output）伝送される第１〜第Ｋ（Ｋは２以上の整数）ストリームを複数のアンテナを用いて受信する端末であって、
それぞれデータを含む第１〜第Ｋストリームの送信に使用される物理リソースを指定した第１〜第Ｋ制御情報を前記基地局から受信する制御情報受信手段と、
第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する検出手段と、
前記第１〜第Ｋ制御情報で指定された物理リソースを介して前記第１〜第Ｋストリームのデータを受信するデータ受信手段と、
各前記データを復調するデータ復調手段と、
各前記データが正しく復調されたか否かに基づき、各前記データに対する送達確認情報を生成する送達確認生成手段と、
前記第１物理リソースを介して前記基地局から送信される前記第ｋ２ストリームの品質測定用信号を測定して前記第１物理リソースのチャネル品質を表すＣＱＩ情報を生成するＣＱＩ情報生成手段と、
前記第１〜第Ｋストリームの各前記データの前記送達確認情報と、前記第１物理リソースの前記ＣＱＩ情報とを含むフィードバック情報を前記基地局に送信するフィードバック送信手段と、
を備えたことを特徴とする端末。
【請求項７】
前記ＣＱＩ情報生成手段は、前記品質測定用信号の品質が閾値より大きいか否かを示す前記ＣＱＩ情報を生成することを特徴とする請求項６に記載の端末。
【請求項８】
前記ＣＱＩ情報生成手段は、前記品質測定用信号を含む第ｋ２ストリームが送信された１つまたは複数の第１物理リソースに対して１ビットのＣＱＩ情報を生成する
ことを特徴とする請求項７に記載の端末。
【請求項９】
前記第１〜第Ｋストリームのデータ送信に使用される物理リソースは複数のスロットのいずれかに属し、
前記品質測定用信号の品質はＳＩＮＲ(信号対雑音干渉電力比：Signal to Interference and Noise Ratio)であり、
前記閾値は、前記第１物理リソースと同じスロットにあり、かつ前記第１〜第Ｋのストリームから選択した少なくとも１つのストリームのデータ送信に用いられた複数の物理リソースの平均ＳＩＮＲである
ことを特徴とする請求項７または８に記載の端末。
【請求項１０】
前記第１〜第Ｋストリームのデータ送信に使用される物理リソースは複数のスロットのいずれかに属し、
前記品質測定用信号の品質はＳＩＮＲであり、
ＳＩＮＲの値の複数の範囲のそれぞれに対し前記データ送信の複数の符号化変調方式のうち異なる１つが対応づけられ、
前記閾値は、前記第１物理リソースと同じスロットにあり、かつ前記第１〜第Ｋのストリームから選択した少なくとも１つのストリームのデータ送信に用いられた複数の物理リソースの平均ＳＩＮＲに応じた符号化変調方式に対応する前記範囲の最小値である
ことを特徴とする請求項７または８に記載の端末。
【請求項１１】
前記第１〜第Ｋストリームのデータ送信に使用される物理リソースは複数のスロットのいずれかに属し、
前記品質測定用信号の品質はＳＩＮＲであり、
前記閾値は、前記第１物理リソースと同じスロットにあり、かつ前記第ｋ１ストリームのデータ送信に用いられた複数の物理リソースの平均ＳＩＮＲに一定のオフセットを加えた値である
ことを特徴とする請求項７または８に記載の端末。
【請求項１２】
前記第１〜第Ｋストリームのデータ送信に使用される物理リソースは複数のスロットのいずれかに属し、
前記品質測定用信号の品質はＳＩＮＲであり、
ＳＩＮＲの値の複数の範囲のそれぞれに対し前記データ送信の複数の符号化変調方式のうち異なる１つが対応づけられ、
前記閾値は、前記第１物理リソースと同じスロットにあり、かつ前記第ｋ１ストリームのデータ送信に用いられた第１符号化変調方式に対し１段もしくは複数段、伝送レートが低いまたは高い第２符号化変調方式に対応する前記範囲の最小値である
ことを特徴とする請求項７または８に記載の端末。
【請求項１３】
前記送達確認情報および前記ＣＱＩ情報はそれぞれ１ビットにより表され、
前記フィードバック情報は、前記第１〜第Ｋのストリームのそれぞれに対応する前記送達確認情報のビット列と前記ＣＱＩ情報のビット列とを連結した第１〜第Ｋの連結ビット列を含む、
ことを特徴とする請求項６ないし１２のいずれか一項に記載の端末。
【請求項１４】
前記送達確認情報および前記ＣＱＩ情報はそれぞれ１ビットにより表され、
前記フィードバック情報は、前記第１〜第Ｋのストリームのそれぞれに対応する前記送達確認情報のビットと前記ＣＱＩ情報のビットとを含む第１〜第Ｋのビット列を含み、
前記第１〜第Ｋのビット列のそれぞれに含まれる複数のビットは、前記送達確認情報と前記ＣＱＩ情報との生成元となったデータおよび信号が送られてきた順番に従って並べられる
ことを特徴とする請求項６ないし１２のいずれか一項に記載の端末。
【請求項１５】
複数のアンテナを用いて第１〜第Ｋ（Ｋは２以上の整数）のストリームを基地局から端末にＭＩＭＯ（Multiple Input Multiple Output）伝送する無線通信システムであって、
前記基地局は、
それぞれデータを含む第１〜第Ｋストリームの送信に使用する物理リソースを指定した第１〜第Ｋ制御情報を生成する制御情報生成手段と、
前記第１〜第Ｋ制御情報を前記端末に送信する制御情報送信手段と、
第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する基地局検出手段と、
前記第１物理リソースのチャネル品質を前記端末で測定するための品質測定用信号を含む前記第ｋ２ストリームを前記第１物理リソースを用いて送信する信号送信手段と、
前記第１〜第Ｋ制御情報で指定された物理リソースで、前記データを含む前記第１〜第Ｋストリームを送信するデータ送信手段と、を備え、
前記端末は、
前記第１〜第Ｋ制御情報を前記基地局から受信する制御情報受信手段と、
前記第１〜第Ｋ制御情報に基づき前記第１物理リソースを検出する端末検出手段と、
前記第１〜第Ｋ制御情報で指定された物理リソースを介して前記第１〜第Ｋストリームのデータを受信するデータ受信手段と、
各前記データを復調する復調手段と、
各前記データが正しく復調されたか否かに基づき各前記データに対する送達確認情報を生成する送達確認生成手段と、
前記第１物理リソースを介して前記基地局から送信される前記第ｋ２ストリームの前記品質測定用信号を測定して前記第１物理リソースのチャネル品質を表すＣＱＩ情報を生成するＣＱＩ情報生成手段と、
前記第１〜第Ｋストリームの各前記データの前記送達確認情報と、前記第１物理リソースの前記ＣＱＩ情報とを含むフィードバック情報を前記基地局に送信するフィードバック送信手段と、
を備えたことを特徴とする無線通信システム。
【発明の詳細な説明】
【技術分野】
【０００１】
本発明は、たとえば次世代PHS（Personal Handyphone System）のFM-MODEにMIMO（Multiple Input Multiple Output）方式を適用した基地局、端末および無線通信システムに関する。
【背景技術】
【０００２】
次世代PHS規格では、端末は物理リソースの状態を基地局に伝達する手段として、72個の物理リソースのうち、割り当てられた物理リソースに対してはSINR(Signal to Interference and Noise Ratio)、それ以外の物理リソースはRSSI(Received Signal Strength Indicator)を測定し、測定したこれらの値を含むCQI（Channel Quality Indicator）レポートを基地局に伝達する方法が定義されている (ARIB標準 STD-T95)。
【先行技術文献】
【非特許文献】
【０００３】
【非特許文献１】ARIB標準 STD-T95「OFDMA/TDMA TDD Broadband Wireless Access System (Next Generation PHS）ARIB STANDARD」，1.0版
【発明の概要】
【発明が解決しようとする課題】
【０００４】
このような次世代PHS規格において定義された上述の方法を、MIMO伝送方式へ拡張することを想定すると、ストリーム毎にCQIレポートが必要になり、したがって、基地局においてストリーム毎の送信ウェイトの選択にCQIレポートを用いる場合には、端末からのCQIレポートの量も頻度も高くなり、MIMO伝送方式のために必要なフィードバック情報量が多くなる問題がある。
【０００５】
この発明は、ストリーム毎の頻繁なCQIレポートを行うことなく、次世代PHSにおいてMIMO伝送方式の送信ウェイト制御を行うこと可能とした基地局、端末および無線通信システムを提供する。
【課題を解決するための手段】
【０００６】
本発明の一態様としての基地局は、
複数のアンテナを用いてＫ（Ｋは２以上の整数）個のストリームを端末にＭＩＭＯ（Multiple Input Multiple Output）伝送する基地局であって、
それぞれデータを含む第１〜第Ｋストリームの送信に使用する物理リソースを指定した第１〜第Ｋ制御情報を生成する制御情報生成手段と、
前記第１〜第Ｋ制御情報を前記端末に送信する制御情報送信手段と、
第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する検出手段と、
前記第１物理リソースのチャネル品質を前記端末で測定するための品質測定用信号を含む前記第ｋ２ストリームを前記第１物理リソースを用いて送信する信号送信手段と、
を備えたことを特徴とする。
【０００７】
本発明の一態様としての端末は、
基地局からＭＩＭＯ（Multiple Input Multiple Output）伝送される第１〜第Ｋ（Ｋは２以上の整数）ストリームを複数のアンテナを用いて受信する端末であって、
それぞれデータを含む第１〜第Ｋストリームの送信に使用される物理リソースを指定した第１〜第Ｋ制御情報を前記基地局から受信する制御情報受信手段と、
第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する検出手段と、
前記第１〜第Ｋ制御情報で指定された物理リソースを介して前記第１〜第Ｋストリームのデータを受信するデータ受信手段と、
各前記データを復調するデータ復調手段と、
各前記データが正しく復調されたか否かに基づき、各前記データに対する送達確認情報を生成する送達確認生成手段と、
前記第１物理リソースを介して前記基地局から送信される前記第ｋ２ストリームの品質測定用信号を測定して前記第１物理リソースのチャネル品質を表すＣＱＩ情報を生成するＣＱＩ情報生成手段と、
前記第１〜第Ｋストリームの各前記データの前記送達確認情報と、前記第１物理リソースの前記ＣＱＩ情報とを含むフィードバック情報を前記基地局に送信するフィードバック送信手段と、
を備えたことを特徴とする。
【０００８】
本発明の一態様としての無線通信システムは、
複数のアンテナを用いて第１〜第Ｋ（Ｋは２以上の整数）のストリームを基地局から端末にＭＩＭＯ（Multiple Input Multiple Output）伝送する無線通信システムであって、
前記基地局は、
それぞれデータを含む第１〜第Ｋストリームの送信に使用する物理リソースを指定した第１〜第Ｋ制御情報を生成する制御情報生成手段と、
前記第１〜第Ｋ制御情報を前記端末に送信する制御情報送信手段と、
第ｋ１制御情報（ｋ１は１〜Ｋのうちいずれかの値）で指定され、かつ第ｋ２制御情報（ｋ２は１〜Ｋのうちｋ１と異なる値）において指定されていない物理リソースである第１物理リソースを検出する基地局検出手段と、
前記第１物理リソースのチャネル品質を前記端末で測定するための品質測定用信号を含む前記第ｋ２ストリームを前記第１物理リソースを用いて送信する信号送信手段と、
前記第１〜第Ｋ制御情報で指定された物理リソースで、前記データを含む前記第１〜第Ｋストリームを送信するデータ送信手段と、を備え、
前記端末は、
前記第１〜第Ｋ制御情報を前記基地局から受信する制御情報受信手段と、
前記第１〜第Ｋ制御情報に基づき前記第１物理リソースを検出する端末検出手段と、
前記第１〜第Ｋ制御情報で指定された物理リソースを介して前記第１〜第Ｋストリームのデータを受信するデータ受信手段と、
各前記データを復調する復調手段と、
各前記データが正しく復調されたか否かに基づき各前記データに対する送達確認情報を生成する送達確認生成手段と、
前記第１物理リソースを介して前記基地局から送信される前記第ｋ２ストリームの前記品質測定用信号を測定して前記第１物理リソースのチャネル品質を表すＣＱＩ情報を生成するＣＱＩ情報生成手段と、
前記第１〜第Ｋストリームの各前記データの前記送達確認情報と、前記第１物理リソースの前記ＣＱＩ情報とを含むフィードバック情報を前記基地局に送信するフィードバック送信手段と、
を備えたことを特徴とする。
【発明の効果】
【０００９】
本発明によりストリーム毎の頻繁なCQIレポートを行うことなく、次世代PHSにおいてMIMO伝送方式の送信ウェイト制御を行うことが可能となる。
【図面の簡単な説明】
【００１０】
【図１】本実施の形態による基地局と端末から構成される無線通信システムを示す図。
【図２】次世代PHSのフレーム構成を示す図。
【図３】本実施の形態によるMIMO伝送方式を適用した次世代PHS基地局の構成例を示す図。
【図４】本実施の形態によるMIMO伝送方式を適用した次世代PHSのDL-ANCHの物理フレームフォーマットを示す図。
【図５】本実施の形態によるMIMO伝送方式を適用した次世代PHSのDL-EDCHの構成例およびCRCHの第１の構成例を示す図。
【図６】本実施の形態によるCRCHの第2の構成例を示す図。
【図７】本実施の形態によるMIMO伝送方式を適用した次世代PHS端末の構成例を示す図。
【図８】本実施の形態によるMIMO伝送方式を適用した次世代PHSのUL-ANCHの物理フレームフォーマットおよびACKフィールドの第１の構成例を示す図。
【図９】本実施の形態によるACKフィールドの第２の構成例を示す図。
【図１０】本実施の形態による基地局と端末のアンテナ間の通信路と、送信ウェイトの関係を示す図。
【発明を実施するための形態】
【００１１】
本実施の形態は、複数のストリームを空間的に多重送信するMIMO(Multiple-Input Multiple-Output)伝送技術を適用した次世代PHS（Personal Handyphone System）の無線通信システムにおいて、あるストリームのデータ送信で使用されかつ別のストリームのデータ送信で使用されていない物理リソース（第１物理リソース）を用いて品質測定用信号を含む当該別のストリームを送信し、次世代PHS規格で定義済みのACK情報返送用のフィールドを利用して上記物理リソースの測定品質を表すCQI（Channel Quality Indicator）情報をフィードバックすることで、ストリーム毎の頻繁なCQIレポートを行うことなく、少ないフィードバック量でストリーム毎の送信ウェイト制御を実現しようとするものである。
【００１２】
以下、図面を参照しながら本実施の形態について詳細に説明する。
【００１３】
図１は、本実施の形態による無線通信システムの構成を示す図である。
【００１４】
この無線通信システムは基地局１１と端末１０１とを備える。基地局１１は複数のアンテナ１〜Mを備え、端末１０１は複数のアンテナ１〜Nを備える。基地局１１は、MIMO(Multiple-Input Multiple-Output)伝送方式により複数のアンテナを用いてＫ（Ｋは２以上の整数）個のストリームを空間的に多重して端末１１に送信し、端末１１は複数のアンテナを用いて基地局１１からMIMO伝送方式により送信されるＫ個のストリームを受信する。また端末１０１はMIMO伝送方式により複数のアンテナを用いてＳ（Ｓは１以上の整数）個のストリームを基地局１１に空間的に多重して送信し、基地局１１は複数のアンテナを用いて端末１０１からMIMO伝送方式により送信されるＳ個のストリームを受信する。ただし、端末１０１から基地局１１へのアップリンク伝送に関しては、MIMO伝送方式を適用してもしなくても本発明は適用可能である。
【００１５】
本実施の形態は、特に、次世代PHSのFM-Modeでの、基地局１１から端末１０１へのダウンリンクにおけるMIMO伝送方式に関わるものであり、これ以降、次世代PHSの規格をベースにして説明を行う。また本発明の適用範囲は次世代PHSに限定されるものではないが、特に断りのない限り、基地局１１と端末１０２の動作は次世代PHS規格に従うものとして説明する。
【００１６】
図２は、次世代PHSのフレームの構造を示す図である。
【００１７】
１フレームは、８つのスロットから構成される。前半の４スロットがアップリンク用のスロット、後半の４スロットがダウンリンク用のスロットである。さらに、各スロットは、周波数的には複数のサブチャネルから構成される。同図に示すように、1スロットの時間幅と１サブチャネルの時間幅を持つ物理リソースは、PRU（Physical Resource Unit）と呼ばれる。
【００１８】
アップリンクおよびダウンリンク毎に各PRUには番号が付けられている。最小周波数のサブチャネルの一番目のスロットがPRU１で、PRUの番号は、時間方向にスロット毎に増加させ、４番目のスロットの次は、次に小さい周波数のサブチャネルの一番目のスロットへつながるように、番号付けされている。
【００１９】
基地局１１は端末１０１に対してアップリンクとダウンリンクで同じ番号のPRUをペアで割り当てる。たとえばアップリンクのPRU11とダウンリンクのPRU11をペアで割り当て、アップリンクのPRU14とダウンリンクのPRU14をペアで割り当てるといったようにである。
【００２０】
図３は、本実施の形態によるMIMO伝送方式を適用した次世代PHSの基地局１１の構成例を示す図である。同図の例では、MIMO多重数が２であり、ストリーム１とストリーム２との２つのストリームを送信する場合を例に示している。
【００２１】
本実施の形態によるMIMO伝送方式では、次世代PHS規格を単純に複数ストリームに拡張したものに、本発明による機能や仕組みを追加することで、送信ウェイト決定のためのフィードバック量をできるだけ少なく抑えて、ストリーム毎の送信ウェイト制御を実現することを可能にする。
【００２２】
基地局１１は、基地局送信部２１と、基地局受信部４１と、アンテナ１〜Mと、送受信切り替え部５１−１〜５１−Mとを備える。以下ではまず、基地局送信部２１と、アンテナ１〜Mと、送受信切り替え部５１−１〜５１−Mに関わる動作について説明し、基地局受信部４１の動作については、端末の動作について説明した後で、説明する。
【００２３】
図３において、DL-ECCH1生成部２２ａでは、ストリーム１に対するDL-ECCH(Downlink - EXCH Control Channel)であるDL-ECCH１を生成する。同様に、DL-ECCH2生成部２２ｂでは、ストリーム２に対するDL-ECCHであるDL-ECCH2を生成する。DL-ECCHは、PRUの割り当て情報を含む制御用の機能チャネルである。
【００２４】
DL-EDCH1生成部２３ａでは、ストリーム１に対するDL-EDCH（Downlink - EXCH Data Channel）であるDL-EDCH１を生成する。同様に、DL-EDCH2生成部２３ｂでは、ストリーム２に対するDL-EDCHであるDL-EDCH2を生成する。DL-EDCHは、端末宛のデータを送信する機能チャネルである。
【００２５】
DL-ANCH変調部２５では、DL-ECCH1とDL-ECCH2を含んだ物理フレームであるDL-ANCH(Downlink Anchor Channel)を生成し、DL-ANCHに対しデータ変調を施す。DL-ECCH1とDL-ECCH2を含んだ、DL-ANCHの物理フレームフォーマットを図４に示す（なおMIMO伝送方式を使用しない場合は、図４のフォーマットからDL-ECCH2を除いたフォーマットが用いられる）。DL-ECCHの各フィールドは、次世代PHS規格で定義されているように、次のような意味を持つ。
【００２６】
MAP：端末に割り当てられたEXCH(Extra Channel)として使用されるPRUの位置情報（EXCHの詳細については後述する）
V：MAPで指定されたPRUの中でDL-EDCHの送信に使用されるPRU数（DL-EDCHの詳細については後述する）
SD：送信タイミング制御情報
PC：送信電力制御情報
ACK：UL-EDCHに対するACK/NACK
MI：MAPで指定したEXCHに適用される変調および符号化方法
MR：UL-EDCHでの変調および符号化方法の指定
HC：HARQ（Hybrid Automatic Repeat reQuest）のキャンセル指示
【００２７】
図４において、MAPでは、該当するストリームに対するPRUの割り当て情報を、１と０のビットマップで送信する。１がPRUを割り当てる場合で、０がPRUを割り当てない場合を意味している。図示のMAP原点は、MAPフィールドが指定する範囲のPRUの原点であり、またMAP領域は、MAPフィールドが示す有効なPRUの範囲を意味する。これらは、次世代PHS規格では、接続時に決定されるものであり、一旦通信が始まれば固定的なものだと考えてよい。本実施の形態では、MAP原点とMAP領域は、全ストリームに共通しているとする。
【００２８】
ストリーム１のMAPは、ストリーム１のデータ送信に使用する物理リソースを示す第１制御情報に対応し、ストリーム２のMAPは、ストリーム２のデータ送信に使用する物理リソースを示す第２制御情報に対応する。より一般的にストリームがＫ個存在するとき、第１〜第Ｋストリームの各MAPは、第１〜第Ｋストリームのそれぞれのデータ送信に使用する物理リソースを示す第１〜第Ｋ制御情報に対応する。したがって、DL-ECCH1生成部２２ａおよびDL-ECCH2生成部２２ｂは本発明の第１および第２の制御情報生成手段に相当する。より一般的にストリームがＫ個存在するときは第１〜第Ｋの制御情報生成手段が基地局送信部２１に具備される。
【００２９】
SD、PC、ACK、MRといったフィールドはアップリンクに対する制御情報を送信するものである。ダウンリンクのみMIMO伝送方式を適用し、アップリンクにはMIMO伝送式を適用しない場合には、これらのフィールドはDL-ANCHに対して１つあれば十分である。したがって、この場合、DL-ECCH2の斜線のフィールドは不要となり、フィールド自体が存在しなくても問題がない。
【００３０】
上述のDL-ECCH1生成部２２ａおよびDL-ECCH2生成部２２ｂでは図４に示したようなフィールドをもつDL-ECCH1のMAPおよびDL-ECCH2のMAPを、使用PRU決定部４７からの指示に従って生成するものとする。使用PRU決定部４７は、ストリーム毎に端末に割り当てるPRUを決定する機能を有し、その詳細動作については後述する。なお、DL-ECCH1生成部２２ａおよびDL-ECCH2生成部２２ｂは、初期時は、あらかじめ決められた位置のPRUを端末に割り当てるようにしてもよい。
【００３１】
DL-ANCH変調部２５の出力信号(ストリーム１、２のMAP（第１および第２の制御情報）等を含むANCH信号)は、ストリーム１マッピング部３１ａにおいて、接続時に決定した特定のDL-ANCH用のPRUにマッピングされ、当該PRUにおいて送信される。したがってストリーム１マッピング部３１ａは本発明の第１〜第Ｋの制御情報を送信する制御情報送信手段を含む。
【００３２】
本実施の形態では、MIMO伝送方式を適用しない場合と同様に、DL-ANCHを１つのストリームの１つのPRUで送信する。そのため、必要なMCS（Modulation and Coding Scheme：符号化変調方式）はDL-ANCHのビット数に応じて変更する必要がある。図４の場合では、DL-ECCHを２つ分入れて送信できるMCS（符号化変調方式）を用いる必要があるため、DL-ANCH変調部２５では、MCSとして０番（4ビット表記：0000）の代わりに、１番（4ビット表記：0001）を用いる必要がある。０番、１番といった番号は、符号化変調方式に付与されたMCS番号であり、MCS番号が大きいほど伝送レートが高いものとする。
【００３３】
MIMO機能を持つ端末に対するDL-ANCHのフォーマットとして、常に、図４のフォーマットを用いる場合の他、ストリーム数が1であるか2であるかで２つのフォーマット（図４のフォーマットと、図４からストリーム２のDL-ECCH2を除いたフォーマット）を使い分けることも考えられる。使い分ける場合には以下のような方法が考えられる。
【００３４】
１．  制御メッセージで切り替える（たとえば次のフレームから図４のフォーマットを使うことを端末に通知するなど）。
２．  CSCH（CSCHは規格で定義されている）のように、適用されるMCS情報を“SIGNAL”として端末に送る（端末側ではMCS情報に応じて使用フォーマットを判定する。なおSIGNALには固定のMCSが用いられている。）。
３．  ブラインドでどちらのフォーマットかを端末側で検出する（たとえばCRC等を利用して正しく復調できたフォーマットが、使用フォーマットであると判定する）。
【００３５】
ここでは、ストリーム数が２個の場合の例を示したが、3ストリームや4ストリームの場合にも、同様の方法でDL-ECCH3やDL-ECCH4を定義し、DL-ECCH3やDL-ECCH4を含めたDL-ANCHを生成し、DL-ANCHのサイズに合わせたMCS（符号化変調方式）を選択することが可能である。
【００３６】
指定されたPRUにストリーム１マッピング部３１ａでマッピングされたDL-ANCHに対し、ウェイト１適用部３２ａにおいて、後述するウェイト計算部４８において計算されたストリーム１用の送信ウェイトが適用（乗算）される。送信ウェイトが適用された信号は、送信アンテナ毎に設けられたOFDM送信部３４−１〜３４−Mに入力されてそれぞれでOFDM信号に変換され、各OFDM信号は、送受信切り替え部５１−１〜５１−Mによりダウンリンク送信へ切り替えられた複数のアンテナ１〜Mから端末に向けて送信される。なおOFDM送信部３４−１〜３４−Mの前段には加算部３５−１〜３５−Mが配置される。各加算部３５−１〜３５−Mはウェイト１適用部３２ａおよびウェイト２適用部３２ｂからの出力信号を加算してそれぞれ対応するOFDM送信部３４−１〜３４−Mに入力するが、ここではDL-ANCHを含む１つのストリームが送信され、他のストリームは送信されないため、上記送信ウェイトが適用された信号は、他の信号と加算されることなく、OFDM送信部３４−１〜３４−Mに入力される。
【００３７】
DL-ECCH1とDL-ECCH2を含むDL-ANCHを送信した次のフレーム（あるいは次の次のフレーム）において、ストリーム毎に、次世代PHS規格に従ってDL-ECCH1とDL-ECCH2において指定したPRUで、端末宛のデータであるDL-EDCHが送信される。DL-EDCHは、図４に示したMAPとVによって指定されたPRUにおいて、物理フレームフォーマットEXCH(Extra Channel)によって送信される。
【００３８】
すなわち、図３のDL-EDCH1生成部２３ａでは、先に送信したDL-ECCH1で指定されたPRU従って、ストリーム1のDL-EDCHを生成する。生成されたDL-EDCHは、DL-EXCH変調部２４ａにおいて、EXCHの物理フォーマットに従って変調が施され、ストリーム１マッピング部３１ａにおいて、指定された位置のPRUにマッピングされ送信される。ストリーム2に関しても同様に、DL-EDCH2生成部２３ｂで生成されたDL-EDCHが、DL-EXCH変調部２４ｂにおいて変調され、指定された位置のPRUにストリーム2のEXCHとしてマッピングされ送信される。ストリーム１マッピング部３１ａおよびストリーム２マッピング部３１ｂにおけるDL-EDCH1およびDL-EDCH2のマッピングは、後述する使用PRU決定部４７からの指示に従って行われる。ストリーム１マッピング部３１ａあるいはストリーム２マッピング部３１ｂは、DL-ECCH1のMAP(第１制御情報)で指定された物理リソース、およびDL-ECCH2のMAP(第２制御情報)で指定された物理リソースを用いて、データのストリーム１およびストリーム２を送信するデータ送信手段を備える。より一般的に、基地局は、第１〜第Ｋの制御情報で指定された物理リソースを用いて、データ（DL-EDCH）を含む第１〜第Ｋストリームを送信するデータ送信手段を含む。
【００３９】
図５は、図４で示したDL-ECCH1とDL-ECCH2の場合における、DL-EDCHの構成例を示す図である。図４において、MAPの1の個数と、Vの値とが同じである場合を例にして説明する。図面下段に示されるCRCHおよびDTXについては後述する。
【００４０】
図５に示されるように、各スロットにおいて、割り当てられたPRU数が偶数の場合は、EDCHの大きさは、全てPRU２つ分に相当し、割り当てられたPRU数が奇数の場合には、スロット最後のEDCHの大きさがPRU１つ分になる。
【００４１】
例えば、ストリーム1のスロット1では、PRU数が4であるので、PRU2つ分のサイズであるEDCHが2つ送信され、スロット2では、PRU数が3であるので、PRU2つ分のサイズであるEDCHと、PRU1つ分のサイズであるEDCHが送信されることになる。またストリーム1のスロット3ではPRU数が6であるので、PRU2つ分のサイズであるEDCHが3つ送信され、ストリーム1のスロット4ではPRU数が2であるので、PRU2つ分のサイズであるEDCHが1つ送信される。
【００４２】
このようにDL-EDCH1生成部２３ａおよびDL-EDCH2生成部２３ｂで生成されるDL-EDCHは、スロット毎の割り当てられたPRU数に応じて、各スロットでの個数およびサイズが変わる。DL-EDCH1生成部２３ａおよびDL-EDCH2生成部２３ｂは、後述する使用PRU決定部４７から指定される各スロットでのPRUの位置情報を利用してDL-EDCHを生成する。
【００４３】
図３のCRCH１生成部２６ａとCRCH2生成部２６ｂでは、本発明において次世代PHS規格に対して新たに定義した機能チャネルである“CRCH(CQI Request Channel)”を、後述する規則に従って、それぞれのストリームに対して生成する。
【００４４】
図５に示した例では、CRCHがストリーム2についてのみ存在する場合を示している。CRCHの目的は、EDCHに対する応答がACK/NACKであるように、CRCHに対応するPRUのCQI情報をフィードバックさせることにある。CRCHに対するアップリンクでの応答についての詳細は後記する。
【００４５】
CRCH１生成部２６ａおよびCRCH2生成部２６ｂにおいてそれぞれのストリームに対して生成されたCRCHは、DTX変調部２７ａ、２７ｂにおいて、PRUの物理フォーマットへDTXとして変調され、ストリーム１マッピング部３１ａおよびストリーム２マッピング部３１ｂにおいて、指定された位置のPRUにマッピングされる。
【００４６】
ここでは図５に示したようにCRCHに対応するPRUの物理フォーマットとしてDTXを定義している。DTX自体は、次世代PHS規格ですでに定義されており、ここでは、DTXは、特にPRUのフォーマットとしてデータシンボルが全てNull(DTXシンボル)であるようなEXCHのフォーマットを意味する。つまり、DTXと表記されたPRU（第１物理リソース）では、既知信号（パイロット信号あるいはトレーニング信号）のみが送信されることを意味する。つまり、CRCHは、DTXであるPRUとの対応を意味しているだけであり、特定の情報を含んでいるわけではない。後述するように、このPRUで送信されたDTXを受信した端末ではこのDTX（既知信号）を用いてこのPRUのチャネル品質を測定し、測定した品質を表すCQI情報を、ACKフィールド（ACK情報返送用のフィールド）を利用して基地局に返す。したがって、DTXは端末において上記PRU（物理リソース）のチャネル品質を測定するための測定用信号（既知信号）であるといえる。上述のようにDTX自体は次世代PHS規格で既に定義されているが、本実施の形態では新たに定義したCRCHを対応づけたDTXを特に品質測定用信号と呼んでいる。ただし本発明の品質測定用信号はこのようなDTXに限定されず、端末において品質測定可能である限りどのような形態の信号であってもよい。
【００４７】
このように本実施の形態では、あるストリーム（第ｋ２ストリーム）に関連するMAPにおいて、別のストリーム（第ｋ１ストリーム）に関連するMAPでは指定されたPRUが指定されていない場合に、当該PRU（第１物理リソース）を用いてDTX（既知信号）を含む第ｋ２ストリームを送信する。すなわち、DTXを含む第ｋ２ストリームが送信されるのは、第ｋ１ストリームに関連するMAPで指定されたPRUが、第ｋ２ストリームに関連するMAPにおいては指定されていない場合である。
【００４８】
このような条件を満たすPRU（第１物理リソース）は使用PRU決定部４７において検出される。使用PRU決定部４７は、ストリーム１のMAP(第１制御情報)で指定され、かつストリーム２のMAP(第２制御情報)で指定されていない第１物理リソース（PRU）を検出する検出手段（基地局検出手段）を有する。検出されたPRUは、CRCH1生成部２６ａおよびCRCH2生成部２６ｂに通知される。CRCH1生成部２６ａおよびCRCH2生成部２６ｂでは、通知されたPRUで送信するためのCRCH1およびCRCH2を生成する（CRCHの構成例は後述する）。そしてCRCH1およびCRCH2は、DTX変調部２７ａ、２７ｂにおいて、PRUの物理フォーマットへDTX（品質測定用信号）として変調され、ストリーム１マッピング部３１ａおよびストリーム２マッピング部３１ｂにおいて、指定された位置のPRU（第１物理リソース）にマッピングされ、送信される。したがってストリーム１マッピング部３１ａあるいはストリーム２マッピング部３１ｂは、それぞれ検出された物理リソース（第１物理リソース）のチャネル品質を端末で測定するためのDTX（測定用信号）を含むストリーム１あるいはストリーム２を、当該検出された物理リソースを用いて送信する信号送信手段を備える。
【００４９】
より一般的に使用PRU決定部４７は、ストリームがＫ個ある場合、第ｋ１ストリームに関連するMAP（第ｋ１制御情報）で指定され、かつ第ｋ２ストリームに関連するMAP（第ｋ２制御情報）で指定されてない第１物理リソース（PRU）を検出する検出手段（基地局検出手段）を有する。ここでｋ１は１〜Ｋのうちいずれかの値であり、ｋ２は１〜Ｋのうちｋ１と異なる値である。そして当該検出された物理リソース（第１物理リソース）のチャネル品質を端末において測定するための品質測定用信号を含む当該第ｋ２ストリームを当該検出された物理リソース（第１物理リソース）で送信する信号送信手段を、基地局は第ｋ２ストリームに対応するストリームマッピング部において含む。
【００５０】
以下、CRCHの構成例を２つ（第１の構成例および第２の構成例）説明する。
【００５１】
まず本実施の形態によるCRCHの第１の構成例を、図５の下段（ストリーム2）を参照して説明する。
【００５２】
CRCHの第１の構成例では、スロット毎（あるいはフレーム毎）のEDCHとCRCHの合計数が各ストリーム間で一致するようにCRCHを構成する。この目的のために、図５の下段に示すように、スロット毎のDTXの個数が偶数の場合には、スロット毎におけるPRUの論理的な順番（すなわち同じスロット内で番号の若いPRUの順番）従って、2つのDTX毎に1つのCRCHが対応するようにし、DTXの個数が奇数の場合には、最後のCRCHがDTX１つに対応し、最後以外のCRCHがDTX2つに対応するようにする。このようにすることで、スロット毎（あるいはフレーム毎）のEDCHとCRCHの合計数を各ストリーム間で一致させることができる。
【００５３】
例外として、あるストリームAに関してあるスロットにおいて偶数個のPRUをEXCHに割り当て、かつ別のストリームBに関してこれらのPRUの中から奇数個をEXCHに割り当てる場合には、最後の1つのDTXをCRCH１つとして数えると、EDCHとCRCHの合計数がストリームBにおいて１つ多くなる。このような場合には、最後のDTXをCRCHにしないようにすればよい。あるいは最後のDTXを他のCRCHに含まれるようにすればよい（この場合、他のCRCHが３つ以上のPRUを含む場合もあり得る）。
【００５４】
なおこのような例外的な状況は、EXCHの割り当てルールとして、ストリームAに関してあるスロットにEXCHであるPRUが偶数個の場合に、ストリームBに関してそのスロットにおいてもこれらのPRUを割り当てる場合に必ずEXCHを偶数個割り当てるようにすれば簡単に回避できる。
【００５５】
図６は、本実施の形態によるCRCHの第２の構成例を示す図である。
【００５６】
第２の構成例では、各DTXに対して1つのCRCHを割り当てる。この場合には、CRCHとEDCHの合計数は、ストリームによって異なる場合がある。そのために、必要なCQI情報をフィードバックするためのフィールドの確保が保障されないこともある（後述するようにCQI情報はACK情報返送用のACKフィールドのうち未使用のフィールドに入れて返信される）。そのような場合には、フィールドに対してCQI情報を可能な範囲で入れるようにすればよい。また、それに応じて、CRCHの個数もCQI情報の個数に応じて制限してもよい（すなわちACKフィールドサイズ（ビットサイズ）はあらかじめ決まっているため、送信するDL-EDCHの個数とACKフィールドサイズとから定まるCQI情報返信可能サイズへCRCHの個数を制限してもよい）。
【００５７】
上述したCRCH1生成部２６ａおよびCRCH2生成部２６ｂでは、第１または第２の構成例に示した割り当てルールに従ってCRCHを生成する。どのような割り当てルールを用いるかはあらかじめ端末との間で共有するものとする。
【００５８】
ストリーム毎にPRUにマッピングされたEDCHとCRCHは、図３のウェイト１適用部３２ａおよびウェイト2適用部３２ｂにおいて、後述するウェイト計算部４８において計算されたストリーム１用の送信ウェイトおよびストリーム2用の送信ウェイトが適用されることにより、アンテナ１〜M毎のウェイト乗算信号が生成される。ウェイト１適用部３２ａおよびウェイト２適用部３２ｂで生成されたアンテナ１〜Ｍ毎のウェイト乗算信号は、それぞれ対応する加算部３５−１〜３５−Mに入力されて加算され、加算部３５−１〜３５−Mのそれぞれによる加算信号は、送信アンテナ毎に設けられたOFDM送信部３４−１〜３４−ＭによってOFDM信号に変換される。各OFDM信号は、送受信切り替え部５１−１〜５１−Ｍによりダウンリンク送信へ切り替えられた複数のアンテナ１〜Mから、端末に向けて送信される。
【００５９】
図７は、本実施の形態によるMIMO伝送方式の受信機を適用した次世代PHSの端末の構成例を示す図である。図７の端末は、図３で示した基地局からMIMO伝送された2つのストリームを復調し、必要なフィードバック情報（アップリンク制御情報）を送信する。ダウンリンクの2ストリーム伝送の受信に必要な受信アンテナ数は2以上であるので、ここでは端末の受信アンテナ数は2としている。
【００６０】
以下では、説明の簡単のため、図７の端末から送信されるアップリンク信号にはMIMO伝送方式を適用せず、アップリンク信号は１ストリームであることを想定する。ただし、本実施の形態における、DL-ANCH/UL-ANCHのフォーマット、CRCHとCQI情報の構成、ならびにこれらの送受信方法に関しては、アップリンクにおいてMIMO伝送方式を使用した場合にも適用可能である。
【００６１】
まず、基地局から送信されるDL-ANCHの端末における受信動作について説明する。
【００６２】
DL-ANCHは、MIMO伝送方式を適用した場合においても、基地局からは、１つのストリーム(本例ではストリーム1)で送信されるので、DL-ANCHの復調に関しては、従来の１ストリームの場合と同じと考えていい。すなわち、図７に示すように、アンテナ１で受信した信号は送受信切り替え部１５１を介してOFDM受信部１４２ａに入力され（送受信切り替え部１５１はダウンリンク受信に設定されている）、アンテナ２で受信した信号はOFDM受信部１４２ｂに入力される。OFDM受信部１４２ａ、１４２ｂに入力された受信信号は、OFDM受信部１４２ａ、１４２ｂにおいて周波数データに変換されて、通信路推定部１４３に入力される。通信路推定部１４３では、DL-ANCHが送られたフレームに含まれる各PRUに関連する既知信号の周波数データと、あらかじめ保持している既知信号（トレーニング信号とパイロット信号）のデータとを用いてストリーム１の通信路を推定する。DL-ANCHに関しては、ストリームの分離は必要ないので、MIMO復調部１４４では、各PRUの周波数データと通信路の推定値とを用いてダイバシチ合成が実行される。ダイバイシチ合成されたDL-ANCHが、ストリーム1デマッピング部１４５ａにおいて取り出され、DL-ANCH復調部１４６においてデータ復調処理が実行され、図４で示したようにDL-ECCH1とDL-ECCH2に分離される。分離されたDL-ECCH1とDL-ECCH2は、DL-ECCH1復号部１４７ａとDL-ECCH2復号部１４７ｂにおいてそれぞれ復号され、復号されたDL-ECCH1とDL-ECCH2の各フィールドの値が、MIMO復調部１４４、ストリーム1デマッピング部１４５ａおよびストリーム2デマッピング部１４５ｂへ通知される。各フィールドの値のうち、特にDL-ECCH1内のMAPは、上述したようにストリーム１のデータ送信に使用される物理リソースを示す第１の制御情報、DL-ECCH2内のMAPはストリーム２のデータ送信に使用される物理リソースを示す第２の制御情報に相当する。端末は、第１および第２の制御情報を含むDL-ANCHを受信する制御情報受信手段を含む。より一般にストリームがＫ個存在するときは、第１〜第Ｋストリームのデータ送信に使用される物理リソースを示す第１〜第Ｋの制御情報を受信する制御情報受信手段を端末は備える。制御情報受信手段は、たとえば第１、第２の制御情報を含むDN-ANCHを取り出すストリーム１デマッピング部１４５ａに含まれている。
【００６３】
次に、基地局から、DL-ANCHが送信されたフレームの次のフレーム（あるいは次の次のフレーム）で送信されるDL-EDCHとCRCHの端末における受信動作について説明する。
【００６４】
DL-ANCHの受信動作の場合と同様に、各アンテナ１、２で受信した信号はOFDM受信部１４２ａ、１４２ｂにおいて周波数データに変換され、通信路推定部１４３において、DL-EDCHおよびCRCHが送信されたフレームに含まれる、各PRUに関連する既知信号の周波数データと、あらかじめ保持している既知信号（トレーニング信号とパイロット信号）のデータとを用いて各ストリーム1,2の通信路を推定する。通信路の推定値と、各PRUの周波数データとがMIMO復調部１４４に送られる。
【００６５】
MIMO復調部１４４では、先に通知されたDL-ECCH1とDL-ECCH2によって、ストリーム毎にどのPRUがEXCH (DL-EDCH)であるかあるいはDTX(CRCH)であるか判っている。すなわちMIMO復調部１４４は、ストリーム１のMAP（第１の制御情報）で指定され、ストリーム２のMAP(第２の制御情報)で指定されていない物理リソース（PRU）を検出する検出手段（端末検出手段）を含んでいる。またストリーム１のMAP（第１の制御情報）およびストリーム２のMAP(第２の制御情報)の両方で指定されている物理リソース（PRU）を検出する検出手段も含んでいる。MIMO復調部１４４はこれらの検出した物理リソースの位置をストリーム１デマッピング部１４５ａおよびストリーム２デマッピング部１４５ｂに通知する。
【００６６】
より一般的に、MIMO復調部１４４は、ストリームがＫ個ある場合に、第ｋ１制御情報で指定され、第ｋ２制御情報で指定されていない物理リソースを検出する検出手段（端末検出手段）を含み、これら検出した物理リソースの位置を、第ｋ２ストリームに対応するストリームデマッピング部に通知する機能を有する。なお、ｋ１は１〜Kのうちいずれかの値であり、ｋ２は１〜Ｋのうちｋ１と異なる値である。また、MIMO復調部１４４は、第ｋ１制御情報および第ｋ２制御情報の両方で指定されている物理リソースを検出する検出手段を含み、検出した物理リソースの位置を第ｋ１および第ｋ２ストリームにそれぞれ対応するストリームデマッピング部に通知する機能を有する。
【００６７】
これらの検出手段はここではMIMO復調部１４４が備えているとしているが、このような検出手段をMIMO復調部１４４の外に別途設け、この別途設けた検出手段からMIMI復調部１４４、ストリーム１デマッピング部１４５ａおよびストリーム２デマッピング部１４５ｂに通知を行うようにしてもよい。
【００６８】
以下MIMO復調部１４４の処理についてさらに詳細に説明する。MIMO復調部１４４の処理はPRUによって異なる。
【００６９】
すなわち、一方のストリームがEXCHであり、他方のストリームがDTXであるPRUの場合には、PRUのデータシンボル部分は１ストリームによる送信であるのでストリームを分離するための特別な処理は必要なく、したがって一方のストリームであるEXCH (DL-EDCH)が、ストリーム１デマッピング部１４５ａあるいはストリーム２デマッピング部１４５ｂで取り出され、DL-EDCH復調部１４８ａあるいは１４８ｂに送られる。そして他方のストリームであるDTXは、ストリーム２デマッピング部１４５ｂあるいはストリーム１デマッピング部１４５ａで取り出され、CRCH復調部１４９ｂあるいは１４９ａに送られる。CRCHとPRU(DTX)との対応関係については基地局との間で上述したような割り当てのルールを共有することで把握可能である。CRCH復調部１４９ｂあるいは１４９ａでは、CRCHを構成するDTX（既知信号）に基づき、CRCHのSINR(信号対雑音干渉電力比：Signal to Interference and Noise Ratio)を測定し、測定したSINRをCQI計算部１２３へ送る。CRCH復調部１４９ｂあるいは１４９ａは、CRCHを構成するDTXの品質（すなわち第１物理リソースの品質）を測定する品質測定手段を含む。
【００７０】
両方のストリームがEXCHであるPRUに対しては、MIMO復調部１４４において2つのストリームの分離が必要になる。MIMO復調の代表的な方法については後述する。MIMO復調部１４４においてストリーム１とストリーム２に分離された各EXCH（DL-EDCH）は、ストリーム１デマッピング部１４５ａおよびストリーム２デマッピング部１４５ｂで取り出され、それぞれのストリームのDL-EDCH復調部１４８ａおよび１４８ｂに送られる。したがって、ストリーム１デマッピング部１４５ａおよびストリーム２デマッピング部１４５ｂは、ストリーム１のMAP（第１制御情報）およびストリーム２のMAP（第２制御情報）でそれぞれ指定されたPRUに割り当てられたデータを受信するデータ受信手段を備える。なおDL-EDCHとPRU(EXCH)と間の割り当てルールについては基地局との間であらかじめ共通に保持されているものとする。
【００７１】
DL-EDCH復調部１４８ａおよび１４８ｂでは、各EDCHの復調および復号が行われ、CRC検査ビットによってEDCHの受信に成功したかどうかを確認し、その結果（成功あるいは失敗）をそれぞれのストリームのUL-ECCH１生成部１２２ａおよびUL-ECCH２生成部１２２ｂに送る。
【００７２】
ここでCQI計算部１２３の動作について説明する。
【００７３】
CQI計算部１２３では、CRCH復調部１４９ａあるいは１４９ｂから各CRCHに対応するSINRの値を受け取ると、各CRCHに対応するSINRの値が、閾値以上かどうかを判定し、閾値以上であれば1、閾値未満であれば0を生成し、対応するストリームのUL-ECCH生成部（１２２ａあるいは１２２ｂ）へ出力する。“１”および“０”は、基地局に対して、CRCHを送信したPRUの品質が良いかどうかを通知するためのCQI情報であり、CRCHに適用した送信ウェイトが適切であるかどうかを示す指標でもある。“１”はCRCHを送信したPRUの品質が良い（CRCHに適用した送信ウェイトが適切である）ことを意味し、“０”はCRCHを送信したPRUの品質が良くない（CRCHに適用した送信ウェイトが適切でない）ことを意味する。なお、上述したように、CRCHは、１つまたは複数のPRUに対応し、したがってCRCHのCQI情報は、１つまたは複数の物理リソースに対する１ビットのCQI情報である。CRCH復調部１４９ａおよび１４９ｂが含む品質(SINR)測定手段と、測定品質に基づきCQI情報を生成するCQI計算部１２３とによって、本発明のCQI情報生成手段が形成される。
【００７４】
以下、CQI計算部１２３におけるSINRの閾値の設定方法（第１〜第４の設定方法）について説明する。
【００７５】
第１の設定方法は、CRCHと同じスロットのEXCHの平均SINRを閾値として設定することである。平均計算を行う対象となるストリームは、CRCHを含むストリームのみでもよいし、すべてのストリーム（すなわち第１〜第Ｋのストリーム）でもよいし、すべてのストリームから選択した任意数のストリームでもよい。
【００７６】
第２の設定方法は、CRCHと同じスロットのEXCHの平均SINRから導き出されるMCS（符号化変調方式）に最低限必要なSINRを閾値として設定することである。つまり受信したEXCHのSINRから規格に従って計算されるMCSに最低限必要なSINRの値を閾値とする。より詳細には、SINRの値の範囲のそれぞれに複数の符号化変調方式のうち異なる１つが対応づけられ、平均SINRに対応する符号化変調方式に対応する範囲の最小値を閾値として設定する。平均計算を行う対象となるストリームは、CRCHを含むストリームのみでもよいし、すべてのストリーム（すなわち第１〜第Ｋのストリーム）でもよいし、すべてのストリームから選択した任意数のストリームでもよい。
【００７７】
第３の設定方法は、CRCHと同じスロットにおける、別のストリームの平均SINRから一定の値を減算した値を閾値として設定することである。例えば、ストリーム1の当該同じスロットの平均SINRから一定の値を減算した値（すなわち一定のオフセットを加えた値）を閾値として決定する（基本的にストリーム1の方がストリーム2よりも品質が安定している）。この場合、ストリーム１は本発明の第ｋ１ストリーム、ストリーム２は本発明の第ｋ２ストリームに対応している。
【００７８】
第４の設定方法は、CRCHと同じスロットにおける、別のストリームのMCS番号から一定の値を減算したMCS番号のMCS（符号化変調方式）を適用するのに最低限必要なSINRの値を閾値として用いることである（MCSはスロット単位で決められるものとする）。例えば、ストリーム1の当該同じスロットに適用されるMCSのMCS番号から一定の値を減算したMCS番号（すなわち一定のオフセットを加えたMCS番号）のMCSを適用するのに最低限必要なSINRの値を閾値として設定する。より詳細には、SINRの値の範囲のそれぞれに複数の符号化変調方式のうち異なる１つが対応づけられ、CRCHと同じスロットにおいて、ストリーム１のデータ送信に用いられた第１符号化変調方式に対し、１段もしくは複数段、伝送レートが低いまたは高い第２符号化変調方式に対応する範囲の最小値を閾値として設定する。
【００７９】
ただし、上記における“平均SINR”の“平均”の意味は、EXCH毎にSINRのばらつきがある場合のEDCHの誤り率が、全てのEXCHでSINRが等しい場合のEDCHの誤り率特性と等しくなるように、複数のSINRの値を、ある単一の値に変換することを意味している。
【００８０】
次に、端末が、DL-EDCHの復調結果（受信成功したか否か）に基づくACK情報、およびCRCHのCQI情報等を基地局に通知するためのUL-ECCHを送信する場合の動作について説明する。
【００８１】
図７において、UL-ECCH1生成部１２２ａおよびUL-ECCH2生成部１２２ｂでは、ストリーム1のUL-ECCH1とストリーム2のUL-ECCH2とを生成する。この際、UL-ECCH1生成部１２２ａおよびUL-ECCH2生成部１２２ｂは、受信成功が通知されたEDCHに対しては受信成功を示すACK（たとえばビット“１”）を生成し、失敗が通知されたEDCHに対しては受信失敗を示すACK（たとえばビット“０”）を生成し、生成したACK／NACKをUL-ECCHに含める。UL-ECCH1生成部１２２ａおよびUL-ECCH2生成部１２２ｂはそれぞれ、EDCH（受信データ）の受信に成功したか否かを示す送達確認情報（ACK/NACK）を生成する送達確認生成手段を備える。UL-ECCHのフォーマットは、MIMO伝送方式を用いない場合と基本的に同じである。
【００８２】
図８は、MIMO伝送方式を適用した場合の、ストリーム1およびストリーム2のUL-ECCH1およびUL-ECCH2を含むUL-ANCH（フィードバック情報）の構成を示す図である。UL-ECCHの各フィールドの機能を以下に纏める。
【００８３】
RCH：割り当てを希望するPRU数
V：UL-ANCHと同じフレームで、スロット毎にEDCHの送信に使用しているPRU数
ACK：DL-EDCHに対するACK/NACKと、CRCHに対するCQI情報
MI：MAPで指定されたUL-EXCHに適用される変調および符号化方法
MR：DL-EDCHでの希望する変調および符号化方法の指定
HC：HARQのキャンセル指示
【００８４】
UL-ANCHの構成は基本的に次世代PHS規格と同じであるが、本実施の形態ではACKフィールドに対してのみ新たな機能が追加されている。すなわち、図８に示すように、MIMO伝送方式を適用した場合には、UL-ECCHのACKフィールドでは、ACK/NACK(送達確認情報)に加えて、各CRCHに対する応答をそれぞれ１ビットで表すCQI情報が入れられて送信される。図８に示されるUL-ECCH1およびUL-ECCH2のACKフィールドは、図５に示したEDCHとCRCHに対する応答になっている。
【００８５】
本実施の形態によるACKフィールドの第１の構成例は、図８に示すように、ACK/NACKとCQI情報の並び順が、ACK/NACKを先に順番に配置し、その後ろにCQI情報を配置する。すなわち、ACKフィールドは、ACK/NACK(送達確認情報)のビット列と、CQI情報のビット列とをこの順序で連結した連結ビットからなる。したがって、より一般的に、UL-ANCH（フィードバック情報）は、第１〜第Ｋのストリーム毎に送達確認情報のビット列とCQI情報のビット列とを連結した第１〜第Ｋの連結ビット列を含む。この第１の構成例を採用すれば、仮にCRCHがあってもなくても、ACKフィールド内でのACK/NACKの位置は変化しない。
【００８６】
図９は、本実施の形態によるACKフィールドの第２の構成例を示す図である。図９の例では、EDCHとCRCHをスロット毎にPRUの論理的な順番に並べた通りに（すなわちEDCHとCRCHが送られてきた順番に）、ACK/NACKのビットとCQI情報のビットとを並べてACKフィールドに入れる。つまり、EDCHとCRCHが送られた順番に従って、EDCHに対するACK/NACKのビットと、CRCHのCQI情報のビットとを並べてACKフィールドに入れる。より一般的に、UL-ANCH(フィードバック情報)は、第１〜第Ｋのストリーム毎に送達確認情報のビットとCQI情報のビットとを含む第１〜第Ｋのビット列を含み、第１〜第Ｋのビット列のそれぞれに含まれる複数のビットは、送達確認情報とCQI情報との生成元となったデータ（EDCH）および信号（CRCH）が送られてきた順番に従って並べられる。
【００８７】
図７のUL-ANCH変調部１２４は図８で示した2つのUL-ECCH1およびUL-ECCH 2を含んだUL-ANCH（フィードバック情報）を生成し、UL-ANCHにデータ変調を施して後述する信号多重部１２７および送信部１２８を介して送信する。したがってUL-ANCH変調部１２４はフィードバック情報を送信するフィードバック送信手段を含む。DL-ANCHの場合と同様に、2つのECCHを1つのストリームで送信するフォーマットを想定しているので、UL-ANCH変調部１２４で使用するMCS（符号化変調方式）に関しても、UL-ANCHのビット数に応じて変更する必要がある。図８の場合では、MCSとして０番（4ビット表記：0000）の代わりに、１番（4ビット表記：0001）を用いる必要がある。ただし、アップリンクにMIMO伝送方式を適用しない場合には、図８のストリーム2のフィールド（V、MI、HC）については不要である。MIMO伝送方式を適用しない場合にフォーマットの互換性を多少無視してこれらのフィールドを排除すれば、アップリンクがOFDM信号の場合、Reservedフィールド（余っている未使用のフィールド）を活用することで、MCSの0番を用いることも可能である。ストリーム数が3以上の場合にも、同様の方法でUL-ECCHを追加して、必要に応じたMCSを選択すればよい。MCSの変更を通知する方法としては、先のDL-ANCHで述べた方法と同じ方法が適用できる。
【００８８】
図７のUL-EDCH生成部１２５では、UL-EDCHが生成され、生成されたUL-EDCHはUL-EDCH変調部１２６によってデータ変調が施され、UL-ANCH変調部１２４の出力と共に、信号多重部１２７において所定のPRUにマッピングされる。信号多重部１２７の出力信号は、送信部１２８においてOFDM変調、あるいは、シングルキャリア変調が適用され、送受信切り替え部１５１によりアップリンク送信に切り替えられたアンテナ１より送信される。
【００８９】
次にアップリンク信号受信時の図３の基地局受信部４１の動作について説明する。
【００９０】
アンテナ１〜M毎に設けられたOFDM受信部４２−１〜４２−Mでは、従来のOFDM受信機と同様の処理により、受信信号に対してフーリエ変換処理を施し、周波数上の受信データをPRU毎に分離する。
【００９１】
次に、アップリング信号に含まれる各PRUに関連する既知信号（トレーニング信号とパイロット信号）の周波数データと、あらかじめ保持している既知信号のデータとを用いて、通信路推定部４３において、端末が送信に用いたアンテナ（ここでは端末のアンテナ１）と、基地局の各アンテナ１〜Mとの間の通信路（通信路の複素ゲイン）を推定する。ここで推定された通信路推定値は、基地局と端末間の通信路の状態を表す第１ベクトルに相当する。
【００９２】
合成部４４では、各アンテナ１〜MのOFDM受信部４２−１〜４２−Mから出力された受信データをPRU毎に合成する。一般に、通信路推定値を用いた合成後のPRUのSINR（信号対雑音干渉電力比）が最大になるように合成すると良い。
【００９３】
合成された信号がEXCHの場合には、UL-EXCH復調部４５で、ANCHの場合にはUL-ANCH復調部４６において次世代PHSの規格に従いデータ復調が行われる。ただし、UL-ANCH復調部４６では、図８で示したようにストリーム毎のUL-ECCHを取得し、さらに、ACKフィールドに追加されたCQI情報も取得する。
【００９４】
使用PRU決定部４７では、ストリーム毎のUL-ECCHのACKフィールドの値（ACK情報とCQI情報）を用いて各ストリームの送信で使用するPRUの決定を行う。例えば、あるストリームのPRUのCQI情報が1である場合には、このPRUを、EDCHを送信する候補のPRUとする。またACK情報が誤りを示す場合（NACKの場合）には、当該PRUを、EDCHを送信する候補から外し、ACK情報が誤りのPRUを使用しないか、あるいはそのPRUを用いてCRCHを送信するようにする。使用PRU決定部４７はこのように決定した、各ストリームのデータ送信で使用するPRU、およびそのPRUの使用方法を、CRCH1生成部２６ａ、CRCH2生成部２６ｂ、DL-EDCH1生成部２３ａ、DL-EDCH2生成部２３ｂ、DL-ECCH1生成部２２ａ、DL-ECCH2生成部２２ｂ、ストリーム１マッピング部３１ａ、ストリーム２マッピング部３１ｂに通知する。使用PRU使用決定部４７は上記以外にも任意の方法を用いてストリーム毎かつフレーム毎の使用PRUおよび使用方法を決定することができる。なお後述において使用PRU決定部４７の別の動作例を示す。なお、本実施の形態では使用PRU決定部４７は基地局受信部４１内に設けられているが、使用PRU決定部４７は、必ずしも基地局受信部４１内に設けられている必要はなく、基地局受信部４１の外側に、基地局受信部４１および基地局送信部２１と通信可能に設けられてもよい。
【００９５】
また、ウェイト計算部４８でも、通信路推定部４３で計算された通信路推定値と、UL-ECCHのACKフィールドの値（ACK情報とCQI情報）を用いて各ストリームに対する送信ウェイトを計算し、計算した送信ウェイトを各ストリームにそれぞれ対応するウェイト１適用部３２ａおよびウェイト２適用部３２ｂに送る。各ストリームに対する送信ウェイトはPRU毎に計算するものとする。
【００９６】
次に、図３のウェイト計算部４８および図７のMIMO復調部１４４の動作について詳細に説明する。
【００９７】
図１０は、基地局と端末のアンテナ間の通信路と、送信ウェイトの関係を示す図である。同図の例では、基地局のアンテナ数が4、端末のアンテナ数が2である。通信路の複素ゲインのベクトルを以下のように定義する。ベクトルh1はたとえば本発明の第１ベクトルに相当する。
【００９８】
式(1)        h1 = [h1,1  h2,1  h3,1  h4,1]T
h2 = [h2,2  h2,2  h3,2  h4,2]T
ただし、hm,nは、基地局の第mアンテナと、端末の第nアンテナ間の通信路の複素ゲインである。さらに、基地局でストリーム毎に適用される送信ウェイトのベクトルを以下のように定義する。
【００９９】
式(2)        w1 = [w1,1  w2,1  w3,1  w4,1]T
w2 = [w2,2  w2,2  w3,2  w4,2]T
この場合、MIMO伝送方式が適用されているPRUの同じ位置にある２つのデータシンボルをx=[x1  x2]Tとし、端末におけるそのデータシンボルに対する受信信号をy=[y1  y2]Tとすれば、以下のように表すことができる。
【０１００】
【数１】
2010206403.tif 000003
ただし、nは雑音成分のべクトルである。
【０１０１】
図７のMIMO復調部１４４においてMMSE(Minimum-Mean Square Error)受信方式を適用する場合には、式(3)に対して以下のような線形演算が適用される。これによりストリーム分離を行う。
【０１０２】
式(4)  z = (HHH +σ2I)-1 HH y
ただし、Iは4×4の単位行列であり、σ2は雑音の分散である。ここでは、MMSE受信方式を例に挙げたが、MIMO復調部１４４において他の方法を用いても構わない。
【０１０３】
次に、式(2)で示した送信ウェイトの計算方法をたとえば２つ（第１の送信ウェイト計算方法、第２の送信ウェイト送信方法）説明する。送信ウェイトの計算は図３のウェイト計算部４８で実行される。図７で示したようにアップリンクが、１つのアンテナで送信されるような場合を例に述べる。このような状況では、基地局は、端末から送信されたアップリンク信号から式(3)におけるh1を推定することはできるが、h2を推定することはできない。
【０１０４】
第１の送信ウェイト計算方法では、式(5)に示すように、ストリーム1の送信ウェイトは、端末のアンテナ1においてストリーム１のSINRが最大になるようなものを選択し、ストリーム2の送信ウェイトは、端末のアンテナ１においてストリーム2とストリーム１が直交する（相関がゼロ）のものを選択する。ただし相関がゼロではなく、ストリーム１のベクトルとの相関が相関閾値以下のベクトルを選択するようにしてもよい。すなわち相関が閾値以下のベクトルの集合を求め、この集合の中からベクトルを選択すればよい。
【０１０５】
式(5)  w1 = h1/( h1H h1)
w2 : w2H h1=0で大きさが1であるベクトル。
【０１０６】
ここでw1と w2はそれぞれ正規化してある。具体的なw2としては、以下の式(6)に示す行列Wに含まれる4つの列ベクトルのいずれかを選択すればよい。あるいは、これらの4つの列ベクトルの任意の線形和で表されるベクトルを規格化したものでも良い。なおＩは単位行列であり、Ｈは転置を表す。
【０１０７】
式(6)        W =I - h1 h1H/( h1H h1)
【０１０８】
式(5)を満たす送信ウェイトを適用した場合には、式(3)からも明らかなように、端末のアンテナ１においてストリーム2からストリーム1への干渉が理想的には無くなるのでストリーム１の復調(x1の復調)が、先に述べたMMSE受信方式などを適用せずにそのままデータ復調が可能となる。ただし、端末のアンテナ２のストリーム2については、ストリーム1からの信号成分も含まれているので、MMSE受信方法や、x1を判定後にDecision-Feedback（判定帰還）してキャンセルするなどの方法で、データ復調を行うことになる。
【０１０９】
第２の送信ウェイト計算方法では、第１の送信ウェイト計算方法とは異なり、前もって定義された送信ウェイトの候補であるベクトルの集合であるコードブックから送信ウェイト（ベクトル）を選択する。コードブックを以下のように定義する。
【０１１０】
式(7)        C ={ck | k=1,2,…,K}
ここで、ck はk番目のベクトルであり、Kがベクトルの総数である。第２の送信ウェイト計算方法では、以下のように送信ウェイトを選択する。
【０１１１】
式(8)  w1 ={ ck | max(ck H h1 ) }
w2 :{ ck | ck H h1 < 相関閾値}を満たすいずれかのck
【０１１２】
上述した第１の送信ウェイト計算方法および第２の送信ウェイト計算方法では、ストリーム2に対する送信ウェイトw2 を1つではなく幾つかの候補を用意しているが、この理由は、基地局ではh2が判らない（h2を推定できない）ので、選択したw2が不適切な場合に、別のw2に切り替える必要があるからである。
【０１１３】
以下に送信ウェイトの切り替え方法について説明する。この方法は基地局のUN-ANCH復調部４６から入力される端末からのフィードバック情報を元に図３のウェイト計算部４８で実行される。
【０１１４】
本実施の形態で新たに定義したCRCHを基地局から送信した際の端末からの応答であるCQI情報が0である場合（すなわちCRCHを送信したPRU(第１物理リソース)の品質が閾値以下の場合）、そのCRCHのストリームに適用した送信ウェイトが適切ではなかったと考えられる。このような場合に、式(5)または式(8)のw2のように複数の候補を用意しておき、CQI情報が0である場合には、適用する送信ウェイトを順次変更してCRCHを送信する。
【０１１５】
ここで、使用PRU決定部４７では、一定回数以上、0のCQI情報が続く場合にはそのCQI情報のPRUを当該ストリームのデータ送信に使用しないことを決定してもよい。また、使用PRU決定部４７は、CQI情報が1である場合（すなわちCRCHを送信したPRU(第１物理リソース)の品質が閾値より大きい場合）には、そのCQI情報のPRUを、当該ストリームにおいてDL-EDCHをデータ送信するための物理リソース（PRU）の候補として決定してもよい。例えば、CRCHを送信するPRUを意図的に用意し、さらにCRCHを送信するPRUもフレーム毎に変化させてゆくことで、PRU全体に対する送信ウェイトを適切に保持することが可能である。
【０１１６】
これまで、ダウンリンクにMIMO伝送方式を適用し、アップリンクにはMIMO伝送方式を適用しない場合を説明したが、本発明は、ダウンリンクおよびアップリンクともにMIMO伝送方式を適用した場合にも適用可能である。このような場合も、本実施の形態で定義したDL-ANCHおよびUL-ANCHは、アップリンクにMIMO伝送方式を適用する場合も考慮したフォーマットになっているので、CRCHの構成、CQI情報を含むACKフィールドの構成、ならびに送信ウェイトの切り替え方法などは、基本的にそのまま（変更することなく）適用することが可能である。
【０１１７】
以上のように、本実施の形態によれば、MIMO伝送技術を適用した無線通信システムにおいて、他のストリームで使用されていない物理リソースにおいて品質測定用の既知信号を送信し、次世代PHS規格ですでに定義されているACKフィールドを用いて上記物理リソースに対するCQI情報をフィードバックするようにしたことにより、ストリーム毎の頻繁なCQIレポートを行うことなく、少ないフィードバック量でストリーム毎の送信ウェイトの制御を実現できる。
【０１１８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１９】
１１：基地局
１〜M:アンテナ
２１：基地局送信部
２２ａ、２２ｂ：DL-ECCH生成部
２３ａ、２３ｂ：DL-EDCH生成部
２４ａ、２４ｂ：DL-EXCH変調部
２５：DL-ANCH変調部
２６ａ、２６ｂ：CRCH生成部
２７ａ、２７ｂ：DTX変調部
３１ａ、３１ｂ：ストリームマッピング部
３２ａ、３２ｂ：ウェイト適用部
３４−１〜３４−Ｍ：OFDM送信部
３５−１〜３５−Ｍ：加算部
５１−１〜５１−Ｍ：送受信切り替え部
４１：基地局受信部
４２−１〜４２−Ｍ：OFDM受信部
４３：通信路推定部
４４：合成部
４５：UL-EXCH復調部
４６：UL-ANCH復調部
４７：使用PRU決定部
４８：ウェイト計算部
１０１：端末
１、２：アンテナ
１２１：端末送信部
１２２ａ、１２２ｂ：UL-ECCH生成部
１２３：CQI計算部
１２４：UL-ANCH変調部
１２５：UL-EDCH生成部
１２６：UL-EDCH変調部
１２７：信号多重部
１２８：送信部
１４１：端末受信部
１４２ａ、１４２ｂ：OFDM受信部
１４３：通信路推定部
１４４：MIMO復調部
１４５ａ、１４５ｂ：ストリームデマッピング部
１４６：DL-ANCH復調部
１４７ａ、１４７ｂ：DL-ECCH復号部
１４８ａ、１４８ｂ：DL-EDCH復調部
１４９ａ、１４９ｂ：CRCH復調部
【図１】
2010206403.tif 000004
【図２】
2010206403.tif 000005
【図３】
2010206403.tif 000006
【図４】
2010206403.tif 000007
【図５】
2010206403.tif 000008
【図６】
2010206403.tif 000009
【図７】
2010206403.tif 000010
【図８】
2010206403.tif 000011
【図９】
2010206403.tif 000012
【図１０】
2010206403.tif 000013